(57)【要約】【課題】便蓋が便座等に接触することなく確実に便蓋の表面を使用者側に向けることができるようにすること。【解決手段】便蓋３と、便蓋３の裏面の所定の位置に配設された第１ヒンジ部材４と、便座又は便器の後部に配設された第２ヒンジ部材１３と、先端部が第１ヒンジ部材４に回動自在に支持されるとともに、末端部が第２ヒンジ部材１３に回動自在に支持されたアーム５と、アーム５の先端部を上方に回動させるにつれて前記便蓋３の表面が便座又は便器の前部側に傾くように、アーム５と第１ヒンジ部材４の間の回動動作と、アーム５と第２ヒンジ部材１３の間の回動動作とを同期させるタイミング機構２５と、を備える。【選択図】図２
2010005166.tif 000002
【特許請求の範囲】
【請求項１】
便蓋と、
前記便蓋の裏面の所定の位置に配設された第１ヒンジ部材と、
便座又は便器の後部に配設された第２ヒンジ部材と、
先端部が前記第１ヒンジ部材に回動自在に支持されるとともに、末端部が前記第２ヒンジ部材に回動自在に支持されたアームと、
前記アームの先端部を上方に回動させるにつれて前記便蓋の表面が便座又は便器の前部側に傾くように、前記アームと前記第１ヒンジ部材の間の回動動作と、前記アームと前記第２ヒンジ部材の間の回動動作とを同期させるタイミング機構と、
を備えることを特徴とする便蓋開閉機構。
【請求項２】
前記タイミング機構は、
前記第１ヒンジ部材側に設けられるとともに、前記アームに回動自在に軸着された第１回転同期ギヤと、
前記第２ヒンジ部材側に設けられるとともに、前記アームに回動自在に軸着された第２回転同期ギヤと、
前記第１回転同期ギヤと前記第２回転同期ギヤの間に架けられたベルトと、
を備え、
前記第１ヒンジ部材は、前記第１回転同期ギヤと噛み合う第１ギヤ部を有し、
前記第２ヒンジ部材は、前記第２回転同期ギヤと噛み合う第２ギヤ部を有し、
前記第１回転同期ギヤは、前記アームと前記第１ヒンジ部材の間の回動動作によって前記第１ギヤ部の外周を公転し、
前記第２回転同期ギヤは、前記アームと前記第２ヒンジ部材の間の回動動作によって前記第２ギヤ部の外周を公転するように構成されていることを特徴とする請求項１記載の便蓋開閉機構。
【請求項３】
前記便蓋は、開閉動作の途中において、前記第１ヒンジ部材を介して前記アームのみで支持され、前記便座及び背もたれ部に対して干渉しないように構成されていることを特徴とする請求項１又は２記載の便蓋開閉機構。
【請求項４】
前記便蓋を開閉させるモータと、
前記モータの回転動力を減速する減速機構と、
を備え、
前記モータは、前記減速機構を介して前記アームの回動を駆動することを特徴とする請求項１乃至３のいずれか一に記載の便蓋開閉機構。
【発明の詳細な説明】
【技術分野】
【０００１】
本発明は、洋式トイレの便蓋を開閉する便蓋開閉機構に関し、特に、便蓋を開いたときに便蓋の裏面を使用者側に向けないようにする便蓋開閉機構に関する。
【背景技術】
【０００２】
洋式トイレの便蓋において、便蓋が閉じている場合に便鉢側に向いている面（以下、裏面、その反対面を表面）には、便鉢内からの飛散物や便鉢内の臭気成分が付着していることがある。開いているときに便蓋を背もたれとして使用する場合、便蓋裏面が便座に着座する人の背中に接することになり、衛生的に好ましくないといえる。
【０００３】
これに対し、特許文献１（従来例１）では、便器本体の後部に支持アームの基端を該支持アームが前後方向に揺動されるように枢着すると共に、同支持アームの先端に便蓋の裏側中程を枢着して、該便蓋を便器本体を閉じた状態と便器本体の後部にその裏面を後側にして起立した状態との間を範囲として回動されるよう支持アームを介して便器本体に連結支持させてなる様式便器が開示されている。この様式便器では、便器本体の後部を支点として便蓋及び支持アームを持ち上げつつ、支持アームの先端を支点として便蓋で回転させることで、常に便蓋表面を使用者に向けておくことができるようにしている。
【０００４】
また、特許文献２（従来例２）では、便蓋と、該便蓋の支持部材とを備え、該支持部材は、後端が便器後部上面部材に対し回動自在に連結され、前端が便蓋の側部に回動自在に連結されたアームよりなる便蓋装置が開示されている。この便蓋装置では、便蓋側面のアーム支持位置を便蓋の重心よりも便器後端寄りとすることで、アームを便器後端で回動させれば便蓋が自重で自然に回転し、便蓋表面を常に使用者側に向けられるようにしている。
【０００５】
また、特許文献２の別の例（従来例３）として、便蓋と、該便蓋の支持部材とを備え、該支持部材は、便器後部上面のロータンクカバーに上下方向に延設されたガイドレールと、該便蓋の後部に設けられており、該ガイドレールに沿って移動する移動部材とを備えてなる便蓋装置が開示されている。この便蓋装置では、便蓋をガイドレールに沿って開閉動作させることで、便座表面を強制的に使用者側に向けておくことができるようになっている。
【０００６】
【特許文献１】特開平１１−１９７０６０号公報
【特許文献２】特開２００４−２２３０７３号公報
【発明の開示】
【発明が解決しようとする課題】
【０００７】
従来例１（特許文献１参照）では、便器本体の後部を支点として便蓋及び支持アームを持ち上げる動作と、支持アームの先端を支点として便蓋を回転させる動作とは、連動しておらず、各々単独で行える。そのため、使用者が便蓋裏面中央で便蓋を回転させる動作を行わなかった場合には、狙い通りの効果を奏さない。
【０００８】
従来例２、３（特許文献２参照）では、どちらの構成においても、便蓋を開閉動作させる際に便蓋が便座あるいは他の部位と摺動することになり、キズや汚れの原因となることが想定されるため望ましくない。
【０００９】
また、従来例２（特許文献２参照）の構成では、便蓋の重心位置によっては便蓋側面のアーム支持位置の前後の長さに大きく差が出るため、便蓋が閉状態になっても便蓋の支持位置より前方部分が便座に接触してしまい、構成自体が成立しないおそれがある。
【００１０】
本発明の主な課題は、便蓋が便座等に接触することなく確実に便蓋の表面を使用者側に向けることができるようにすることである。
【課題を解決するための手段】
【００１１】
本発明の一視点においては、便蓋開閉機構において、便蓋と、前記便蓋の裏面の所定の位置に配設された第１ヒンジ部材と、便座又は便器の後部に配設された第２ヒンジ部材と、先端部が前記第１ヒンジ部材に回動自在に支持されるとともに、末端部が前記第２ヒンジ部材に回動自在に支持されたアームと、前記アームの先端部を上方に回動させるにつれて前記便蓋の表面が便座又は便器の前部側に傾くように、前記アームと前記第１ヒンジ部材の間の回動動作と、前記アームと前記第２ヒンジ部材の間の回動動作とを同期させるタイミング機構と、を備えることを特徴とする。
【発明の効果】
【００１２】
本発明によれば、アームと第１ヒンジ部材の間の回動動作と、アームと第２ヒンジ部材の間の回動動作とが確実に連動するため、便蓋が便座等に接触することなく確実に便蓋の表面を使用者側に向けることができる。
【発明を実施するための最良の形態】
【００１３】
本発明の実施形態に係る便蓋開閉機構では、便蓋（図２の３）と、前記便蓋（図２の３）の裏面の所定の位置に配設された第１ヒンジ部材（図２の４）と、便座（図１の２）又は便器（図１の１）の後部に配設された第２ヒンジ部材（図２の１３）と、先端部が前記第１ヒンジ部材（図２の４）に回動自在に支持されるとともに、末端部が前記第２ヒンジ部材（図２の１３）に回動自在に支持されたアーム（図２の５）と、前記アーム（図２の５）の先端部を上方に回動させるにつれて前記便蓋（図２の３）の表面が便座（図１の２）又は便器（図１の１）の前部側に傾くように、前記アーム（図２の５）と前記第１ヒンジ部材（図２の４）の間の回動動作と、前記アーム（図２の５）と前記第２ヒンジ部材（図２の１３）の間の回動動作とを同期させるタイミング機構（図２の２５）と、を備える。
【実施例１】
【００１４】
本発明の実施例１に係る便蓋開閉機構について図面を用いて説明する。図１は、本発明の実施例１に係る便蓋開閉機構を搭載した洋式トイレの構成を模式的に示した部分切欠き側面図である。図２は、本発明の実施例１に係る便蓋開閉機構の構成を模式的に示した斜視図である。図３は、本発明の実施例１に係る便蓋開閉機構の機構部の構成を模式的に示した斜視図である。図４は、本発明の実施例１に係る便蓋開閉機構の機構部の構成を模式的に示した分解斜視図である。図５は、本発明の実施例１に係る便蓋開閉機構の駆動部の構成を模式的に示した斜視図である。図６は、本発明の実施例１に係る便蓋開閉機構の駆動部の構成を模式的に示した分解斜視図である。
【００１５】
図１の洋式トイレは、洋式の便器１上に、便器１の便鉢に通ずる開口を有する便座２が搭載されており、便座２上に、便座２の開口をカバーする便蓋３が搭載されており、便器１の後部に背もたれ部２４を有する。便蓋３は、便座２（便器１でも可）の後部（図１の右寄りの部分）に取り付けられた便蓋開閉機構によって開閉自在になっている。便蓋開閉機構（４〜２３）は、便蓋３が便座２の開口を閉じた閉状態では便蓋３の裏面（ヒンジ部材４が取り付けられた面）が便鉢側に向き、便蓋３が便座２の開口を開いた開状態では便蓋３の裏面が便器１の後部側に向くように動作する。便蓋開閉機構は、ヒンジ部材４と、アーム５と、支持ピン６と、固定金具７ａ、７ｂと、第１回転同期ギヤ８と、第２回転同期ギヤ９と、ベルト１０と、ベルトテンショナ１１、１２と、ヒンジ部材１３と、シャフト部材１４と、ギヤ１５と、ハウジング１７ａ、１７ｂと、モータ１８と、ウォームホイール１９と、ギヤ２０と、ギヤ２１と、ギヤ２２と、回転センサ２３と、を有する（図１〜図６参照）。
【００１６】
ヒンジ部材４は、便蓋３の裏面の中央付近に取り付けられるとともに、アーム５を回動自在に支持するための部材である（図１、図２参照）。ヒンジ部材４は、支持ピン（図３の６）を介してアーム５を回動自在に支持する。ヒンジ部材４は、支持ピン（図３の６）を支持する部分の外周面に、第１回転同期ギヤ８の大径ギヤ部８ａと噛み合うギヤ部４ａが形成されている。
【００１７】
アーム５は、ヒンジ部材４、１３間でヒンジ部材４、１３のそれぞれに回動自在に支持された棒状の部材である。（図１〜図４参照）。アーム５は、先端軸穴部５ａに挿通された支持ピン６を介してヒンジ部材４に回動自在に支持されている。アーム５は、先端軸穴部５ａよりも中央側の部分にて第１回転同期ギヤ８を回動自在に軸着するための軸穴部５ｂを有する。先端軸穴部５ａの中心と軸穴部５ｂの中心との距離は、第１回転同期ギヤ８の大径ギヤ部８ａの半径とヒンジ部材４のギヤ部４ａの半径の和である。アーム５は、軸穴部５ｂよりも中央側の部分にてベルトテンショナ１１を回動自在に軸着するための軸穴部５ｃを有する。アーム５は、ベルト１０の内周側にてベルト１０の移動を案内するためのガイド部５ｄを有する。アーム５は、末端部５ｇがシャフト部材１４の貫通穴１４ａに挿入されて金具などにより固定されており、シャフト部材１４を介してヒンジ部材１３に回動自在に支持されている。アーム５は、末端部５ｇよりも中央側の部分にて第２回転同期ギヤ９を回動自在に軸着するための軸穴部５ｆを有する。アーム５は、軸穴部５ｆよりも中央側の部分にてベルトテンショナ１２を回動自在に軸着するための軸穴部５ｅを有する。
【００１８】
支持ピン６は、アーム５を回動自在にヒンジ部材４に取り付けるためのピンである（図３、図４参照）。支持ピン６の両端には、固定金具７ａ、７ｂが取り付けられる。
【００１９】
固定金具７ａ、７ｂは、支持ピン６がヒンジ部材４から抜け落ちるのを防止するための金具である（図１〜図４参照）。固定金具７ａ、７ｂは、支持ピン６の両端に取り付けられる。
【００２０】
第１回転同期ギヤ８は、ベルト１０を介して第２回転同期ギヤ９の回転と同期するギヤであり、タイミング機構２５の構成部材である（図１〜図４参照）。第１回転同期ギヤ８は、アーム５の軸穴部５ｂにて回動自在に軸着されている。第１回転同期ギヤ８は、大径ギヤ部８ａと小径ギヤ部８ｂを有する。大径ギヤ部８ａは、ヒンジ部材４のギヤ部４ａと噛み合っており、ギヤ部４ａを中心に公転する。小径ギヤ部８ｂは、ベルト１０のプーリーとなるものであり、ベルト１０のギヤ面１０ａと噛み合っている。
【００２１】
第２回転同期ギヤ９は、ベルト１０を介して第１回転同期ギヤ８の回転と同期するギヤであり、タイミング機構２５の構成部材である（図１〜図４参照）。第２回転同期ギヤ９は、アーム５の軸穴部５ｆにて回動自在に軸着されている。第２回転同期ギヤ９は、大径ギヤ部９ａと小径ギヤ部９ｂを有する。大径ギヤ部９ａは、ヒンジ部材１３のギヤ部１３ａと噛み合っており、ギヤ部１３ａを中心に公転する。小径ギヤ部８ｂは、ベルト１０のプーリーとなるものであり、ベルト１０のギヤ面１０ａと噛み合っている。
【００２２】
ベルト１０は、第１回転同期ギヤ８と第２回転同期ギヤ９の回転を同期させるタイミングベルトであり、タイミング機構２５の構成部材である（図１〜図４参照）。ベルト１０は、プーリーとなる第１回転同期ギヤ８の小径ギヤ部８ｂと第２回転同期ギヤ９の小径ギヤ部９ｂに架けられている。ベルト１０は、内周にギヤ面１０ａが形成されており、小径ギヤ部８ｂと小径ギヤ部９ｂが噛み合っている。ベルト１０は、ベルトテンショナ１１、１２によって張りが調整されている。
【００２３】
ベルトテンショナ１１、１２は、ベルト１０の張りを調整するローラー状の部品である（図１〜図４参照）。ベルトテンショナ１１は、アーム５の軸穴部５ｃに回動自在に軸着されており、ベルト１０の外周面を内周側に押さえ込んでいる。ベルトテンショナ１２は、アーム５の軸穴部５ｅに回動自在に軸着されており、ベルト１０の外周面を内周側に押さえ込んでいる。
【００２４】
ヒンジ部材１３は、便座２（便器１でも可）の後部（図１の右寄りの部分）に取り付けられるとともに、アーム５を回動自在に支持するための部材である（図１〜図４参照）。ヒンジ部材１３は、シャフト部材１４を介してアーム５を回動自在に支持する。ヒンジ部材１３は、シャフト部材１４を支持する部分の外周面に、第２回転同期ギヤ９の大径ギヤ部９ａと噛み合うギヤ部１３ａが形成されている。ヒンジ部材１３は、ギヤ１５を回動自在に軸着するための軸穴部１３ｂを有する。ヒンジ部材１３は、ハウジング１７ａ、１７ｂを取り付けるための螺孔１３ｃを有する。ヒンジ部材１３は、便座２（便器１でも可）に取り付けるための螺孔１３ｄを有する。
【００２５】
シャフト部材１４は、アーム５を回動自在にヒンジ部材１３に取り付けるための軸状の部材である（図１〜図４参照）。シャフト部材１４は、軸方向に垂直な貫通穴１４ａが形成されており、貫通穴１４ａにアーム５の末端部５ｇが挿入されている。シャフト部材１４は、金具などによりアーム５と固定されており、アーム５と一体回転する。シャフト部材１４は、一端部にギヤ１５と噛み合うギヤ部１４ｂが形成されている。
【００２６】
ギヤ１５は、モータ１８を含む駆動部の回転動力をシャフト部材１４のギヤ部１４ｂに伝達するためのギヤである（図１、図３、図４参照）。ギヤ１５は、ヒンジ部材１３の軸穴部１３ｂに回動自在に軸着されている。ギヤ１５は、シャフト部材１４のギヤ部１４ｂと噛み合っており、ギヤ２２の小径ギヤ部２２ｂと噛み合っている。
【００２７】
ハウジング１７ａ、１７ｂは、モータ１８、ウォームホイール１９、ギヤ２０、ギヤ２１、及びギヤ２２を収容するための部材である（図１、図２、図５、図６参照）。ハウジング１７ａ、１７ｂは、分解・組立可能な構成となっている。ハウジング１７ａ、１７ｂは、モータ１８を固定し、ウォームホイール１９、ギヤ２０、ギヤ２１、及びギヤ２２を回動自在に支持する。ハウジング１７ａには、ギヤ部２３ａが内側に配されるようにして回転センサ２３が取り付けられている。ハウジング１７ａには、ギヤ２２の小径ギヤ部２２ｂとギヤ１５が噛み合う位置で開口している。
【００２８】
モータ１８は、便蓋開閉機構を駆動するための動力源である（図１、図６参照）。モータ１８は、ハウジング１７ａ、１７ｂに収容されている。モータ１８の出力軸には、ウォームホイール１９と噛み合うウォーム１８ａが取り付けられている。モータ１８は、回転センサ２３の検出信号に基づいて動作するコントローラ（図示せず）によって制御される。
【００２９】
ウォームホイール１９は、モータ１８の回転動力を、モータ１８の出力軸に対して直角方向に変更して減速するホイールである（図１、図６参照）。ウォームホイール１９は、ハウジング１７ａ、１７ｂに収容され、ハウジング１７ａ、１７ｂに回動自在に支持されている。ウォームホイール１９は、モータ１８のウォーム１８ａと噛み合っている。ウォームホイール１９は、ギヤ２０の大径ギヤ部２０ａと噛み合う小径ギヤ部１９ａを有する。
【００３０】
ギヤ２０は、ウォームホイール１９からの回転動力を減速するギヤである（図１、図６参照）。ギヤ２０は、ハウジング１７ａ、１７ｂに収容され、ハウジング１７ａ、１７ｂに回動自在に支持されている。ギヤ２０は、大径ギヤ部２０ａと小径ギヤ部２０ｂを有する。大径ギヤ部２０ａは、ウォームホイール１９の小径ギヤ部１９ａと噛み合っている。小径ギヤ部２０ｂは、ギヤ２１の大径ギヤ部２１ａと噛み合っている。
【００３１】
ギヤ２１は、ギヤ２０からの回転動力を減速するギヤである（図１、図６参照）。ギヤ２１は、ハウジング１７ａ、１７ｂに収容され、ハウジング１７ａ、１７ｂに回動自在に支持されている。ギヤ２１は、大径ギヤ部２１ａと小径ギヤ部２１ｂを有する。大径ギヤ部２１ａは、ギヤ２０の小径ギヤ部２０ｂと噛み合っている。小径ギヤ部２１ｂは、ギヤ２２の大径ギヤ部２２ａと噛み合っている。
【００３２】
ギヤ２２は、ギヤ２１からの回転動力を減速するギヤである（図１、図５、図６参照）。ギヤ２２は、ハウジング１７ａ、１７ｂに収容され、ハウジング１７ａ、１７ｂに回動自在に支持されている。ギヤ２２は、大径ギヤ部２２ａと小径ギヤ部２２ｂを有する。大径ギヤ部２２ａは、ギヤ２１の小径ギヤ部２１ｂと噛み合っている。小径ギヤ部２２ｂは、ギヤ１５と噛み合っている。
【００３３】
回転センサ２３は、ギヤ２１の大径ギヤ部２１ａの回転角度を検出するセンサである（図１、図２、図５、図６参照）。回転センサ２３は、ギヤ２１の大径ギヤ部２１ａと噛み合うギヤ部２３ａを有する。回転センサ２３は、ギヤ部２３ａがハウジング１７ａの内側に配されるようにしてハウジング１７ａに取り付けられている。回転センサ２３の検出信号は、コントローラ（図示せず）に提供される。
【００３４】
本発明の実施例１に係る便蓋開閉機構の動作について図面を用いて説明する。図７〜図１０は、本発明の実施例１に係る便蓋開閉機構の動作を模式的に示した斜視図である。図１１〜図１４は、本発明の実施例１に係る便蓋開閉機構の動作を模式的に示した部分切欠き側面図である。
【００３５】
便蓋３が閉状態（図７、図１１参照）から開状態（図１０、図１４参照）に変化する動作では、モータ１８が駆動するとウォームホイール１９、ギヤ２０、２１、２２、ギヤ１５を介してシャフト部材（図３、図４の１４）のギヤ部１４ｂが回転（図１１の左回り）し、これに伴ってアーム５が上側に起き上がる。アーム５が上側に起き上がると、タイミング機構２５における第２回転同期ギヤ９の大径ギヤ部９ａがヒンジ部材１３のギヤ部１３ａの外周を公転することで、第２回転同期ギヤ９が回転（図１１の左回り）する。第２回転同期ギヤ９が回転すると、ベルト１０を介して第１回転同期ギヤ８が同期して回転し、第１回転同期ギヤ８の大径ギヤ部８ａがヒンジ部材４のギヤ部４ａの外周を公転する。大径ギヤ部８ａがギヤ部４ａの外周を公転することで、これに同期して便蓋３の表面が前方（図１２の右側）に向いた状態で傾斜してゆく。つまり、便蓋３の開度が大きくなるにつれて、これに同期して便蓋３の表面が前方に向いた状態で角度が急になり（図９、図１３参照）、最終的には便座２の後部付近で便蓋３の表面が前方に向いた状態で起立する（図１０、図１４参照）。
【００３６】
便蓋３が開状態（図１０、図１４参照）から閉状態（図７、図１１参照）に変化する動作では、モータ１８が駆動するとウォームホイール１９、ギヤ２０、２１、２２、ギヤ１５を介してシャフト部材１４が回転（図１４の右回り）し、これに伴ってアーム５が下側に下がる。アーム５が下がると、タイミング機構２５における第２回転同期ギヤ９の大径ギヤ部９ａがヒンジ部材１３のギヤ部１３ａの外周を公転することで、第２回転同期ギヤ９が回転（図１４の右回り）する。第２回転同期ギヤ９が回転すると、ベルト１０を介して第１回転同期ギヤ８が同期して回転し、第１回転同期ギヤ８の大径ギヤ部８ａがヒンジ部材４のギヤ部４ａの外周を公転する。大径ギヤ部８ａがギヤ部４ａの外周を公転することで、これに同期して便蓋３の表面が前方（図１３の右側）に向いた状態で傾斜してゆく。つまり、便蓋３の開度が小さくなるにつれて、これに同期して便蓋３の表面が前方に向いた状態で角度が緩やかになり（図８、図１２参照）、最終的には便座２を覆う（図７、図１１参照）。
【００３７】
なお、閉開動作の途中において便蓋３が便座２及び背もたれ部２４と干渉しないように、ヒンジ部材４のギヤ部４ａ、第１回転同期ギヤ８、第２回転同期ギヤ９、ヒンジ部材１３のギヤ部１３ａの大きさや、便蓋３におけるヒンジ部材４の取付位置などが設定される。
【００３８】
また、上記では電動式の便蓋開閉機構について説明したが、駆動部を省略した手動式の便蓋開閉機構としてもよい。
【００３９】
実施例１によれば、便座２の後部での回転動作と便蓋３の裏面での回転動作が確実に連動するため、手動・自動を問わず、どういう動かし方をしても便蓋表面を前方（使用者側）に向けることができる。また、使用者はワンアクションで便蓋３を開閉することができる。また、便蓋３とアーム５の開閉動作が同期するため、スムーズで綺麗な動きが実現され、動作途中で停止しても、便蓋３のみが前後に揺動するような不安定な状態にはならない。また、便蓋３の形状・重心位置等によらず、開閉を成立させることができる。さらに、開閉動作中に便蓋３がヒンジ部材４以外の箇所で接触・摺動することがないため、引き摺りキズや汚れ、異音などが発生しない。
【図面の簡単な説明】
【００４０】
【図１】本発明の実施例１に係る便蓋開閉機構を搭載した洋式トイレの構成を模式的に示した部分切欠き側面図である。
【図２】本発明の実施例１に係る便蓋開閉機構の構成を模式的に示した斜視図である。
【図３】本発明の実施例１に係る便蓋開閉機構の機構部の構成を模式的に示した斜視図である。
【図４】本発明の実施例１に係る便蓋開閉機構の機構部の構成を模式的に示した分解斜視図である。
【図５】本発明の実施例１に係る便蓋開閉機構の駆動部の構成を模式的に示した斜視図である。
【図６】本発明の実施例１に係る便蓋開閉機構の駆動部の構成を模式的に示した分解斜視図である。
【図７】本発明の実施例１に係る便蓋開閉機構の動作を模式的に示した閉状態の斜視図である。
【図８】本発明の実施例１に係る便蓋開閉機構の動作を模式的に示した第１中間開度状態の斜視図である。
【図９】本発明の実施例１に係る便蓋開閉機構の動作を模式的に示した第２中間開度状態の斜視図である。
【図１０】本発明の実施例１に係る便蓋開閉機構の動作を模式的に示した開状態の斜視図である。
【図１１】本発明の実施例１に係る便蓋開閉機構の動作を模式的に示した閉状態の部分切欠き側面図である。
【図１２】本発明の実施例１に係る便蓋開閉機構の動作を模式的に示した第１中間開度状態の部分切欠き側面図である。
【図１３】本発明の実施例１に係る便蓋開閉機構の動作を模式的に示した第２中間開度状態の部分切欠き側面図である。
【図１４】本発明の実施例１に係る便蓋開閉機構の動作を模式的に示した開状態の部分切欠き側面図である。
【符号の説明】
【００４１】
１  便器
２  便座
３  便蓋
４  ヒンジ部材（第１ヒンジ部材）
４ａ  ギヤ部（第１ギヤ部）
５  アーム
８  第１回転同期ギヤ（タイミング機構）
９  第２回転同期ギヤ（タイミング機構）
１０  ベルト（タイミング機構）
１３  ヒンジ部材（第２ヒンジ部材）
１３ａ  ギヤ部（第２ギヤ部）
１８  モータ
１９  ウォームホイール（減速機構）
２０  ギヤ（減速機構）
２１  ギヤ（減速機構）
２２  ギヤ（減速機構）
２４  背もたれ部
２５  タイミング機構
２６  減速機構
【図１】
2010005166.tif 000003
【図２】
2010005166.tif 000004
【図３】
2010005166.tif 000005
【図４】
2010005166.tif 000006
【図５】
2010005166.tif 000007
【図６】
2010005166.tif 000008
【図７】
2010005166.tif 000009
【図８】
2010005166.tif 000010
【図９】
2010005166.tif 000011
【図１０】
2010005166.tif 000012
【図１１】
2010005166.tif 000013
【図１２】
2010005166.tif 000014
【図１３】
2010005166.tif 000015
【図１４】
2010005166.tif 000016